(57)【要約】【課題】ドレンポンプの空運転防止、及びドレンポンプの発停に伴う騒音を軽減した空気調和機を提供することを目的とする。【解決手段】本空気調和機は、室内側熱交換器と、室内ファン４と、空調運転中に発生するドレン水を貯留するドレン水貯留部と、ドレン水貯留部に貯留されたドレン水を排水するためのドレンポンプ１０とを有する。また、本空気調和機は、室内ファン４のモータ回転数Ｒｆを制御する室内ファン制御部３１と、ドレンポンプ１０のモータ回転数Ｒｆを制御するドレンポンプ制御部３２と、室内ファン４のモータ回転数Ｒｆが高いときにドレンポンプ１０のモータ回転数Ｒｐを高くし、室内ファン４のモータ回転数Ｒｆが低いときにドレンポンプ１０のモータ回転数Ｒｐを低くするように、室内ファン制御部３１とドレンポンプ制御部３２とを連動させる連動制御部３３とを有する。【選択図】図３
2014092351.tif 000002
【特許請求の範囲】
【請求項１】
室内側熱交換器（５）と、
室内側熱交換器（５）に送風する室内ファン（４）と、
空調運転中に前記室内側熱交換器（５）に発生するドレン水を貯留するドレン水貯留部（７）と、
ドレン水貯留部（７）に貯留されたドレン水を排水するためのドレンポンプ（１０）と、
前記室内ファン（４）のモータ回転数（Ｒｆ）を制御する室内ファン制御部（３１）と、
ドレンポンプ（１０）のモータ回転数（Ｒｆ）を制御するドレンポンプ制御部（３２）と、
前記室内ファン（４）のモータ回転数（Ｒｆ）が高いときに前記ドレンポンプ（１０）のモータ回転数（Ｒｐ）を高くし、前記室内ファン（４）のモータ回転数（Ｒｆ）が低いときに前記ドレンポンプ（１０）のモータ回転数（Ｒｐ）を低くするように、前記室内ファン制御部（３１）と前記ドレンポンプ制御部（３２）とを連動させる連動制御部（３３）と
を有することを特徴とする空気調和機。
【請求項２】
請求項１記載の空気調和機において、
前記室内ファン制御部（３１）は、室内ファン（４）のモータ回転数（Ｒｆ）を段階的に可変制御するように構成されるとともに、前記ドレンポンプ制御部（３２）は、前記ドレンポンプ（１０）のモータ回転数（Ｒｐ）を、前記室内ファン（４）のモータ回転数（Ｒｆ）を段階的に可変制御するのと同一の段階数により段階的に可変制御するように構成されている
ことを特徴とする空気調和機。
【請求項３】
請求項１又は２記載の空気調和機において、
前記ドレンポンプ（１０）のモータは直流モータ（１３）である
ことを特徴とする空気調和機。
【請求項４】
請求項１〜３のいずれか１項に記載の空気調和機において、
前記ドレン水貯留部（７）にはドレン水の上限水位（Ｈ）を検出する水位センサ（２０）が設けられ、
前記ドレンポンプ制御部（３２）は、前記水位センサ（２０）が上限水位（Ｈ）に到達したことを検出したときに、異常と判断して空調運転を停止するように制御する
ことを特徴とする空気調和機。
【請求項５】
請求項１〜３のいずれか１項に記載の空気調和機において、
前記ドレン水貯留部（７）にはドレン水の下限水位（Ｌ）を検出する水位センサ（２０）が設けられ、
前記ドレンポンプ制御部（３２）は、前記水位センサ（２０）が下限水位（Ｌ）未満の水位を検出したときに、前記ドレンポンプ（１０）の運転を停止するように制御する
ことを特徴とする空気調和機。
【発明の詳細な説明】
【技術分野】
【０００１】
本発明は、空気調和機に係り、特に、ドレン水を排水するためのドレンポンプを搭載した空気調和機に関する。
【背景技術】
【０００２】
従来、一部の空気調和機、例えば、天井埋込型、天井吊型などの高所設置型の空気調和機は、冷房又は除湿運転中に発生したドレン水をドレンポンプで汲み上げて排水している。また、このようなドレンポンプを搭載した空気調和機では、特許文献１に記載のように、一般にドレンポンプを一定の回転数で運転している。また、このような空気調和機では、ドレン水貯留部の水位が一定レベル以上になったときにドレンポンプを運転し、ドレン水貯留部の水位が一定レベル以下になったときにドレンポンプを停止していた。なお、ドレン水貯留部の水位が一定レベル以下でドレンポンプを運転した場合、ドレンポンプは空気を噛み込む所謂空運転を行うことになり、ドレンポンプの騒音が大きくなったりドレンポンプ損傷の原因が発生したりするため、ドレンポンプは停止されていた。
【先行技術文献】
【特許文献】
【０００３】
【特許文献１】特開平０５−１４１６８６号公報
【発明の概要】
【発明が解決しようとする課題】
【０００４】
ところで、上記のようにドレンポンプを発停させる方法の場合、ドレンポンプ停止期間中はドレンポンプによる騒音の発生はないが、冷房運転又は除湿運転中に唐突的にドレンポンプの運転音が発生したり、停止したりすることになる。このようにドレンポンプの運転音が間歇的に生じると、運転音自体はあまり大きな音でなくても図書館、寝室などの静かな場所では、不定期に耳障りな騒音が発生することとなり、居住者に不快感を与えていた。また、ドレンポンプの運転音は余り大きくないが、静かな場所でドレンポンプを高速で運転させた場合には耳障りに感じられることもあった。
【０００５】
本発明は、このような問題点を解消するためになされたものであって、ドレンポンプの不定期な騒音の発生による不快感を軽減するとともに、ドレンポンプを高速で回転させた場合の運転音による不快感を軽減した空気調和機を提供することを目的とする。
【課題を解決するための手段】
【０００６】
請求項１記載の発明に係る空気調和機は、室内側熱交換器と、室内側熱交換器に送風する室内ファンと、空調運転中に前記室内側熱交換器に発生するドレン水を貯留するドレン水貯留部と、ドレン水貯留部に貯留されたドレン水を排水するためのドレンポンプと、前記室内ファンのモータ回転数を可変制御する室内ファン制御部と、ドレンポンプのモータ回転数を可変制御するドレンポンプ制御部と、前記室内ファンのモータ回転数が高いときに前記ドレンポンプのモータ回転数を高くし、前記室内ファンのモータ回転数が低いときに前記ドレンポンプのモータ回転数を低くするように、前記室内ファン制御部と前記ドレンポンプ制御部とを連動させる連動制御部とを有することを特徴とする。
【０００７】
一般に、冷房あるいは除湿の空調運転を行っているときに送風量を大とすると、空調能力が大きくなり、ドレン水発生量が増大する。逆に、送風量を小とすると、空調能力が小となり、ドレン水発生量が減少する。したがって、上記のように構成すると、概ねドレン水発生量が大きくなるときにドレンポンプの能力が大きくなり、ドレン水発生量が小さくなるときにドレンポンプの能力が小さくなる。このため、ドレン水貯留部における水位変化を従来より小さくし、ドレンポンプを長期間連続的に運転させることができる。この結果、ドレンポンプの空運転防止のための停止頻度を軽減することができ、不定期かつ間欠的なドレンポンプ運転音の発生による不快感を抑制することができる。また、高速運転させた場合のドレンポンプの騒音は、送風量を増大させたときの室内ファンの運転音により打ち消されるため、ドレン水排水能力を増大させた場合のドレンポンプの騒音による不快感を緩和することができる。
【０００８】
請求項２記載の発明は、前記室内ファン制御部は、室内ファンのモータ回転数を段階的に可変制御するように構成されるとともに、前記ドレンポンプ制御部は、前記ドレンポンプのモータ回転数を、前記室内ファンのモータ回転数を段階的に可変制御するのと同一の段階数により段階的に可変制御するように構成されていることを特徴とする。
【０００９】
このように構成すれば、室内ファンの回転数変化にドレンポンプの回転数を同期して変化させることができるので、ドレン水発生量の変化に対しドレンポンプの排水能力の変化を同期させることができる。したがって、ドレン水貯留部における水位変化を小さくすることができる。
【００１０】
請求項３載の発明は、請求項１又は２記載の空気調和機において、前記ドレンポンプのモータは直流モータであることを特徴とする。
このような構成によれば、ドレンポンプの駆動モータを、簡略な入力電圧制御或いはインバータ制御により回転数可変に制御することができる。
【００１１】
請求項４記載の発明は、請求項１〜３のいずれか１項に記載の空気調和機において、前記ドレン水貯留部にはドレン水の水位を検出する水位センサが設けられ、前記ドレンポンプ制御部は、前記水位センサが上限水位に到達したことを検出したときに、異常と判断して空調運転を停止するように制御することを特徴とする。
【００１２】
このような構成によれば、万一ドレンポンプやドレン水排水系統の異常により、ドレン水貯留部の水位が上限水位に到達したことを検出したときに、空気調和機の運転を停止するため、ドレン水貯留部におけるオーバーフローを防止することができる。
【００１３】
請求項５記載の発明は、請求項１〜３のいずれか１項に記載の空気調和機において、前記ドレン水貯留部にはドレン水の下限水位を検出する水位センサが設けられ、前記ドレンポンプ制御部は、前記水位センサが下限水位未満の水位を検出したときに、前記ドレンポンプの運転を停止するように制御することを特徴とする。
【００１４】
このような構成によれば、ドレンポンプの空運転することを防止することができる。なお、本発明の場合は、前述のようにドレン水の発生量に応じてドレンポンプの回転数を可変制御しているので、従来のものに比しドレンポンプの発停頻度が少なくなる。
【発明の効果】
【００１５】
本発明によれば、室内ファンのモータ回転数が高いときにドレンポンプのモータ回転数を高くなるように制御し、室内ファンのモータ回転数が低いときにドレンポンプのモータ回転数を低くなるように制御するので、概ねドレン水の発生量に対応してドレンポンプの回転数を可変制御することになる。これにより、ドレンポンプの発停頻度を少なくして安定的に運転させることができる。また、ドレンポンプを高速運転させた場合のドレンポンプの騒音は、送風量を増大させたときの室内ファンの運転音により打ち消されるため、ドレン水の排水能力を増大させた場合のドレンポンプの騒音による不快感を緩和することができる。
【図面の簡単な説明】
【００１６】
【図１】本発明の実施の形態に係る天井埋込型空気調和機の概略構成図である。
【図２】同空気調和機におけるドレン水貯留部の模式図である。
【図３】同空気調和機におけるドレンポンプの制御に関する機能ブロック図である。
【図４】同ドレンポンプ制御における室内ファンのモ−タ回転数とドレンポンプのモータ回転数との関係図である。
【図５】同空気調和機におけるドレンポンプの制御フローチャートである。
【発明を実施するための形態】
【００１７】
以下図面を参照しながら、実施の形態に係る空気調和機について説明する。
この空気調和機は、高所設置型の空気調和機の一つであって、セパレート型空気調和機における天井埋込型の室内ユニットである。図１に示すように、この室内ユニットは、内部に各種装置を収納する本体１と、本体１の下部に配置される化粧パネル２とを備えている。本体１は、空調室の天井材３の上方天井裏に取り付けられている。化粧パネル２は、天井材３の開口部３ａに嵌めこまれて、天井の空調室内側に密着して取り付けられている。この化粧パネル２の中央部には、空調室内の空気を吸入する吸入口２ａが形成され、この吸入口２ａを取り囲む周辺４辺部に、冷却又は除湿された空気を吹き出す吹出口２ｂが形成されている。
【００１８】
本体１内には、化粧パネル２の中央部に設けられた吸入口２ａを通じて空調室内の空気を本体１内に吸入して外周方向に吹き出す室内ファン４と、室内ファン４の外周を取り囲むように配置された室内側熱交換器５とが収納されている。また、室内側熱交換器５の下方には、冷房又は除湿の空調運転中に室内側熱交換器５に発生するドレン水の滴下を受け止めるドレンパン６が配置されている。なお、本明細書において単に空調運転というときは、冷房又は除湿運転を行う運転を意味するものとする。
【００１９】
室内ファン４を駆動するモータ（電動機）は、誘導電動機であって、２段階に回転速度を変速して運転される。すなわち、室内ファン４は、電源回路がＨタップに接続されたときは予め設定された高速回転数で運転され、電源回路がＬタップに接続されたときは予め設定された低速回転数で運転されるように構成されている。
【００２０】
そして、ドレンパン６の一部にはドレン水を貯留するドレン水貯留部７が形成され、ドレン水貯留部７にはドレン水を排水するためのドレンポンプ１０が取り付けられている。なお、図１において、室内側熱交換器５が左右に記載されているが、これらは平面的に見ると一体に繋がっている。また、ドレンパン６もこの図１においては左右に分離されているように見えるが、これらは平面的には一体に接続されている。
【００２１】
ドレンポンプ１０は、モータ駆動（電動機駆動）の遠心ポンプであって、図２に概略示されているように、回転羽根１１を内部に収納した本体ハウジング１２と、回転羽根１１を駆動する直流モータ１３と、本体ハウジング１２の下部に形成された吸込口１４と、汲み上げたドレン水を吐出する吐出口１５とを備えている。このような構成のドレンポンプ１０は、回転羽根１１を回転することによって生じる遠心力で吸込口１４からドレン水を吸い上げ、吐出口１５からドレン水を吐出する。また、ドレンポンプ１０の吐出口１５には、機外に導出されるドレン配管１６が接続されている。ドレン配管１６は、ドレンポンプ１０停止時にドレン配管１６からドレン水が逆流するのを抑制するために立ち上げて配設されている。
【００２２】
ドレン水貯留部７には、図２に示すように、水位センサ２０が設置されている。水位センサ２０は、ドレン水の水位の変化に応じて上昇又は下降するフロート２１と、フロート２１を支持する支持筒２２とを備えている。水位センサ２０は、ドレン水貯留部７の下限水位Ｌで作用する低位スイッチ２３と、ドレン水貯留部７の上限水位Ｈで作用する高位スイッチ２４とを備えている。
【００２３】
水位センサ２０の低位スイッチ２３は、ドレン水貯留部７の水面が低下してドレンポンプ１０が空気を噛み込むのを防止するためのものであって、ドレン水貯留部７の水位が下限水位Ｌ以上となったときにドレンポンプ１０を運転し、この下限水位Ｌ未満になったときにドレンポンプ１０を停止する。水位センサ２０の高位スイッチ２４は、ドレンポンプ１０の運転異常やドレン配管１６のごみ詰まり等によりドレン水の排水に異常が生じた場合に、ドレン水がドレン水貯留部７よりオーバーフローするのを防止するためのものであって、ドレン水貯留部７の水位が上限水位Ｈに到達した場合に、これを異常状態として検出する。なお、水位センサ２０の高位スイッチ２４が作用した場合には、この空気調和機の運転を停止させている。
【００２４】
次にこのようなドレンポンプ１０の制御系について、図３及び図４に基づき説明する。
先ず、ドレンポンプ１０の制御系の構成について、図３に基づき説明する。ドレンポンプ１０の制御系は、室内ファン４と、ドレンポンプ１０と、水位センサ２０と、室内ファン制御部３１と、ドレンポンプ制御部３２と、連動制御部３３、操作部３４などから構成されている。
【００２５】
室内ファン制御部３１は、１又は複数の集積回路からなるものであって、室内ファン４のモータ駆動回路を備えている。そして、室内ファン制御部３１は、操作部３４で選択された風量に基づき、具体的には、操作部３４で選択された「強」風量、「弱」風量、「自動」風量に基づき室内ファン４のモータ回転数Ｒｆを制御する。
【００２６】
すなわち、操作部３４において「強」風量が選択された場合は、室内ファン４のモータは、Ｈタップが接続され、予め定められた高速回転数で運転される。また、操作部３４において「弱」風量が選択された場合は、室内ファン４のモータは、Ｌタップが接続され、予め定められた低速回転数で運転される。また、操作部３４において「自動」風量が選択された場合は、室内ファン４のモータは、空調設定温度と空調室内の室温との温度差により高速又は低速の回転数で運転される。なお、室温は、室内側熱交換器５の入口側に設置された室内空気温度センサ３５により測定される温度である。
【００２７】
そして、空調設定温度と空調室内の室温との温度差が予め定められた温度差より大きい場合には、室内ファン４のモータは、操作部３４において「強」風量が選択された場合と同一の高速回転数で運転される。また、この温度差が予め定められた温度差より小さい場合には、室内ファン４のモータは、操作部３４において「強」風量が選択された場合と同一の高速回転数で運転される。
【００２８】
ドレンポンプ制御部３２は、１又は複数の集積回路からなるものであって、ドレンポンプ１０のモータ駆動回路を備えている。また、操作部３４からの操作指令が室内ファン制御部３１を介して連動制御部３３へ伝達される。そして、ドレンポンプ制御部３２は、このような連動制御部３３からの操作指令に基づきドレンポンプ１０のモータ回転数Ｒｐを制御する。また、ドレンポンプ制御部３２へは、水位センサ２０からドレン水貯留部７の水位情報が入力される。ドレンポンプ制御部３２は、このようにして伝達される操作指令や水位情報に基づきドレンポンプ１０のモータ回転数Ｒｐを制御している。
【００２９】
連動制御部３３は、１又は複数の集積回路からなるものであって、マスクＲＯＭやフラッシュメモリ等の不揮発メモリ等を備えている。不揮発メモリには、室内ファン４のモータ回転数Ｒｆに対しドレンポンプ１０のモータ回転数Ｒｐを図４に示すように制御する制御プログラムが記憶されている。
【００３０】
次に、図５の制御フローチャートに基づき、本空気調和機の作用説明として、ドレンポンプ１０の回転数可変制御について説明する。
本実施の形態に係る空気調和機において、操作部３４に設けられている運転スイッチが投入されて冷房又は除湿の空調運転が開始された場合、一定時間経過してから動作が開始される（ステップＳ１）。最初の動作は、一定時間毎にドレンポンプ１０のモータ回転数Ｒｐを室内ファン４のモータ回転数Ｒｆに連動して変速させるために、タイマがスタートされる（ステップＳ２）。次いで、ドレン水貯留部７の水位が下限水位Ｌ以上か判断される（ステップＳ３）。ここで、ドレン水貯留部７の水位が下限水位Ｌ以上の場合（ステップＳ３でＹＥＳの場合）は、室内ファン４のモータ回転数Ｒｆに基づく操作指令が連動制御部３３からドレンポンプ制御部３２に伝達される。
【００３１】
そして、連動制御部３３から伝達された指令に基づき、室内ファンのモータ回転数Ｒｆとドレンポンプ１０のモータ回転数Ｒｐとが図４の関係となるように連動運転される（ステップＳ４）。すなわち、室内ファン４のモータがＬタップに接続されてモータ回転数Ｒｆが低速のときにはドレンポンプ１０のモータ回転数Ｒｐが低速に制御され、室内ファン４のモータがＨタップに接続されて室内ファン４のモータ回転数Ｒｆが高速のときにはドレンポンプ１０のモータ回転数Ｒｐが高速に制御される。
【００３２】
なお、ステップＳ３においてドレン水貯留部７の水位が下限水位Ｌ未満の場合（ステップＳ３でＮＯの場合）は、ドレンポンプ１０は空運転防止のために運転停止状態に保持される（ステップＳ８）。
【００３３】
そして、操作部３４の運転スイッチが投入されている状態（ステップＳ５でＹＥＳの状態）で所定時間が経過し、タイマがカウント終了した場合（ステップＳ６でＹＥＳの場合）は、タイマがリセットされ（ステップＳ７）、ステップＳ２に戻る。なお、ステップＳ６においてタイマのカウントが終了していない場合は、ステップＳ６に戻る。
【００３４】
このようにして一定時間（例えば、２〜３分）経過毎にステップＳ２に戻り、ドレン水貯留部７における水位が下限水位となっていないか確認した上で（ステップＳ３）、ドレンポンプ１０のモータ回転数Ｒｐを室内ファン４のモータ回転数Ｒｆに連動して変速させるようにしている。すなわち、この間に室内ファン４のモータ回転数Ｒｆが変更された場合は、ドレンポンプ１０のモータ回転数Ｒｐも変更するように可変制御されている（ステップＳ４）。
【００３５】
また、ステップＳ５において運転スイッチがＯＮでない場合（ステップＳ５でＮＯの場合）、すなわち、空気調和機の運転が停止された場合には、ドレンポンプ１０の運転が停止される（ステップＳ９）。ステップＳ５において運転スイッチがＯＮでない場合とは、例えば、運転開始直後に運転スイッチが切られたり、運転開始からある時間が経過した後に空調運転が不要になり運転が停止されたような場合である。
【００３６】
なお、空調運転中においてドレン水貯留部７の水位が上限水位Ｈに到達した場合は、ドレン水配管系統やドレンポンプ１０に異常が発生した場合となるので、ドレン水貯留部７におけるオーバーフローを防止するために、ドレンポンプ制御部３２は上記のドレンポンプ１０の制御とは関係なく空調運転停止指令を発信する。
【００３７】
本実施の形態に係る空気調和機は、以上のように構成されているので、次のような効果を奏することができる。
（１）室内ファン４のモータ回転数Ｒｆを高速としているときにドレンポンプ１０のモータ回転数Ｒｐを高速とし、室内ファン４のモータ回転数Ｒｆを低速としているときにドレンポンプ１０のモータ回転数Ｒｐを低速としている。したがって、ドレン水発生量が大きくなるときにドレンポンプ１０の回転数を高速とし、ドレン水発生量が小さくなるときにドレンポンプ１０の回転数を低速とするので、ドレン水貯留部７における水位変化を小さくし、ドレンポンプ１０を長期間連続的に運転させることができる。この結果、ドレンポンプ１０の空気を噛み込む所謂空運転防止のためのドレンポンプ１０の停止頻度を軽減することができ、不定期かつ間欠的なドレンポンプ１０の運転音の発生を抑制することができる。
【００３８】
（２）ドレンポンプ１０を高速運転させた場合の運転音は、送風量を増大させたときの室内ファン４の運転音により打ち消されるため、ドレン水排水能力を増大させた場合のドレンポンプ１０の騒音による不快感を緩和することができる。
【００３９】
（３）室内ファン制御部３１は、室内ファン４のモータ回転数Ｒｆを段階制御（この場合２段階）するように構成され、これに対しドレンポンプ制御部３２は、ドレンポンプ１０のモータ回転数Ｒｐを、室内ファン４と同一の段階数（この場合２段階）により段階的に可変制御するように構成されている。したがって、室内ファン４のモータ回転数Ｒｆの変化に対しドレンポンプ１０のモータ回転数Ｒｐを同期して変化させることができるので、ドレン水発生量の変化に対しドレンポンプ１０の排水能力を同期して変化させることができる。
【００４０】
（４）ドレンポンプ１０は直流モータ１３により駆動されているので、簡略な入力電圧制御或いはインバータ制御によりドレンポンプ１０のモータ回転数Ｒｐを可変に制御することができる。
【００４１】
（５）ドレン水貯留部７にはドレン水の上限水位Ｈを検出する水位センサ２０が設けられている。これにより、ドレンポンプ１０やドレン水排水系統の異常により、ドレン水貯留部７の水位が上限水位Ｈに到達したことを検出したときに、ドレンポンプ制御部３２は、これを異常と判断して空調運転停止指令を発信するので、ドレン水貯留部７におけるオーバーフローを防止することができる。
【００４２】
（６）ドレン水貯留部７にはドレン水の下限水位Ｌを検出する水位センサ２０が設けられている。これにより、水位センサ２０が下限水位Ｌ未満の水位を検出したときに、ドレンポンプ制御部３２はドレンポンプ１０の運転を停止するように制御するので、ドレンポンプ１０の空運転を防止することができる。
【００４３】
（変形例）
本空気調和機は、上記各実施形態に限定されることなく、以下の変更も可能である。この場合、以下の変形例は、対象となった実施形態についてのみ適用されるものでなく、他の実施の形態又は他の変形例と適宜組み合わせて実施することもできる。
【００４４】
・前記実施の形態において、室内ファン４のモータ回転数Ｒｆを２段階に可変制御しているが、モータ回転数Ｒｆを３段階以上の多段階あるいは無段階に可変制御としてもよい。なお、この場合はドレンポンプ１０のモータ回転数Ｒｐも、この室内ファン４のモータ回転数Ｒｆの変速モードに同期する３段階以上あるいは無段階に可変制御させることが好ましい。
【００４５】
・前記実施の形態において、ドレン水貯留部７とドレンパン６との深さを特には異ならせていないが、ドレンパン６の一般部分の深さに対しドレン水貯留部７を深くしてもよい。このようにすれば、ドレン水貯留部７の下限水位Ｌと上限水位Ｈとの差を大きくすることができるので、よりドレンポンプの運転期間の長期化を図ることができる。
【００４６】
・前記実施の形態における空気調和機は、天井埋込型空気調和機を一例として掲げているが、空気調和機としては特にこの形式に限定されるものではない。ドレンポンプ１０を使用してドレン水を排水するものであればよい。
【００４７】
・前記実施の形態においては、一つの水位センサ２０がドレン水貯留部７の下限水位Ｌと上限水位Ｈとを検出するようにしているが、別の水位センサによりこれら水位を個別に検出するようにしてもよい。
【００４８】
・前記実施の形態において、水位センサ２０が上限水位Ｈに到達したことを検出したときに空調運転を停止しているが、この動作と同時にこれを報知する報知装置を設けてもよい。報知装置としては、警報ランプ、警報音声発生器など用いることができる。
【００４９】
・前記実施の形態において、水位センサ２０が下限水位Ｌ未満の水位を検出したときにドレンポンプ１０の運転を停止又は停止状態を継続するようにしているが、ドレンポンプ１０の運転停止と同時にドレンポンプ１０の運転状態を報知する表示ランプ等の報知装置を設けてもよい。
【００５０】
・前記実施の形態において、水位センサ２０は、ドレン水貯留部７の下限水位Ｌで作用する低位スイッチ２３と、ドレン水貯留部７の上限水位Ｈで作用する高位スイッチ２４とを備えているが、この両スイッチのうちの一方のみを備えたものとしてもよい。例えば、高位スイッチ２４のみを備えたものとしてもよい。
【符号の説明】
【００５１】
Ｈ…上限水位、Ｌ…下限水位、Ｒｆ，Ｒｐ…モータ回転数、４…室内ファン、５…室内側熱交換器、７…ドレン水貯留部、１０…ドレンポンプ、１３…直流モータ、２０…水位センサ、３１…室内ファン制御部、３２…ドレンポンプ制御部、３３…連動制御部。
【図１】
2014092351.tif 000003
【図２】
2014092351.tif 000004
【図３】
2014092351.tif 000005
【図４】
2014092351.tif 000006
【図５】
2014092351.tif 000007